【事件の表示】
　特許第６６４７８１５号発明「印刷装置」の特許異議申立事件について，次のとおり決定する。
【結　論】
　特許第６６４７８１５号の特許請求の範囲を訂正請求書に添付された訂正特許請求の範囲のとおり，訂正後の請求項〔１−５〕について訂正することを認める。
　特許第６６４７８１５号の請求項１ないし５に係る特許を維持する。
【理　由】
第１　手続の経緯
　特許第６６４７８１５号（以下，「本件特許」という。）の請求項１ないし５に係る特許についての出願は，平成２７年８月５日に出願され，令和２年１月１７日にその特許権の設定登録がされ（請求項の数５），同年２月１４日に特許掲載公報が発行された。
　その後，その特許に対し，令和２年４月２８日に特許異議申立人　増田　玲（以下，「特許異議申立人」という。）により特許異議の申立て（対象請求項：請求項１ないし５）がされ，当審は同年１０月３０日付けで取消理由を通知し，特許権者は，取消理由通知の指定期間内である令和３年１月８日に意見書の提出及び訂正の請求（以下，「本件訂正請求」という。）を行い，同年１月１５日付けで訂正請求があった旨の通知（特許法第１２０条の５第５項）がされ，同年２月１９日に特許異議申立人から意見書が提出されたものである。
第２　訂正の適否についての判断
１　訂正の内容
　本件訂正請求による訂正の内容は，以下の（１）ないし（３）のとおりであって，一群の請求項〔１−５〕に対して請求されたものである。なお，下線は訂正箇所を示すものである。
（１）訂正事項１
　特許請求の範囲の請求項１に，
「回転可能に設けられ，缶体を支持する複数の缶体支持部材と，
　前記缶体支持部材により支持されている缶体への画像形成を行う画像形成手段と，
　前記複数の缶体支持部材の各々を経由するように循環移動を行い，当該複数の缶体支持部材の各々に回転駆動力を伝達する伝達部材と，
を備え，
　前記複数の缶体支持部材は，予め定められた配置中心を中心として放射状に配置され，
　前記伝達部材は，円環状に形成され，径方向における中心を移動中心として循環移動を行い，
　前記配置中心と前記移動中心とが一致するように，前記複数の缶体支持部材および前記伝達部材が設けられている印刷装置。」
と記載されているのを，
「回転可能に設けら
れ缶
缶体支持部材であって，回転する回転部材に取り付けられ，当該回転部材の回転に伴い移動する複数の
　
インクジェット方式を用い，
複数の
　
前記
の回転に用いられる
　前記複数の缶体支持部材は，予め定められた配置中心を中心として放射状に配置され，前記伝達部材は，円環状に形成され，径方向における中心を
回転
回転
回転
，
　
前記回転部材が回転して前記缶体支持部材が一の前記画像形成手段から他の前記画像形成手段へ移動する際，前記伝達部材が，当該回転部材の回転方向とは反対方向へ回転する
　請求項１の記載を引用する請求項２，３及び５も同様に訂正する。
（２）訂正事項２
　特許請求の範囲の請求項３に，
「前記缶体支持部材側には，前記伝達部材からの駆動力を受ける受け部材が設けられ，」
と記載されているのを，
「前記伝達部材からの駆動力
であって前記缶体支持部材へ伝達される駆動力
に訂正する。
　請求項３の記載を引用する請求項５も同様に訂正する。
（３）訂正事項３
　特許請求の範囲の請求項４に，
「前記缶体支持部材側には，前記伝達部材からの駆動力を受ける受け部材が設けられ，
　前記受け部材の方が，前記伝達部材よりも摩耗しやすくなっていることを特徴とする請求項１乃至３の何れかに記載の印刷装置。」
と記載されているのを，
「回転可能に設けられ，缶体を支持する複数の缶体支持部材と，
　前記缶体支持部材により支持されている缶体への画像形成を行う画像形成手段と，
　
前記
の各々の回転に用いられる
を備え，
　
前記伝達部材からの駆動力であって前記缶体支持部材へ伝達される駆動力を受ける受け部材と，
を備え，
　前記複数の缶体支持部材は，予め定められた配置中心を中心として放射状に配置され，
　前記伝達部材は，円環状に形成され，径方向における中心を
回転
回転
　前記配置中心と前記
回転
，
　
前記受け部材の方が，前記伝達部材よりも摩耗しやすい
に訂正する。
　請求項４の記載を引用する請求項５も同様に訂正する。
２　訂正の目的の適否，新規事項の有無，及び特許請求の範囲の拡張・変更の存否
（１）訂正事項１について
　訂正事項１は，訂正前の請求項１の「缶体の支持部材」なる事項について，「回転する回転部材に取り付けられ，当該回転部材の回転に伴い移動する」ことを限定するものであり，訂正前の請求項１の「画像形成手段」なる事項について，「インクジェット方式を用い」ること及び「複数」であることを限定するものであり，「伝達部材」なる事項について「前記回転部材が回転して前記缶体支持部材が一の前記画像形成手段から他の前記画像形成手段へ移動する際，前記伝達部材が，当該回転部材の回転方向とは反対方向へ回転する」ことを限定するものであるから，訂正事項１は，特許請求の範囲の減縮を目的とするものである。
　また，訂正事項１は，訂正前の請求項１の「伝達部材」なる事項について，「前記複数の回転支持部材の複数を経由するように循環移動を行い，当該複数の缶体支持部材の各々に回転駆動力を伝達する伝達部材」及び「前記伝達部材は，円環状に形成され，径方向における中心を移動中心として循環移動を行い，前記配置中心と前記移動中心とが一致するように，前記複数の缶体支持部材および前記伝達部材が設けられている」なる事項について，「前記複数の缶体支持部材の各々の回転に用いられる回転駆動力を伝達する伝達部材」及び「前記伝達部材は，円環状に形成され，径方向における中心を回転中心として回転を行い，前記配置中心と前記回転中心とが一致するように，前記複数の缶体支持部材および前記伝達部材が設けられ」とし，訂正前の「経由」及び「循環移動」なる文言による明瞭でない記載の釈明を目的とするものである。
　そして，訂正事項１は，本件特許の明細書，特許請求の範囲又は図面に記載した事項の範囲内のものであり，実質上特許請求の範囲の拡張し，又は変更するものではない。
　さらに，請求項１を引用する請求項２，３及び５に関する訂正事項１も同様である。
（２）訂正事項２について
　訂正事項２は，訂正前の請求項３に「前記缶体支持部材側には，前記伝達部材からの駆動力を受ける受け部材が設けられ，」なる記載を，「前記伝達部材からの駆動力であって前記缶体支持部材へ伝達される駆動力を受ける受け部材が設けられ，」とすることで，訂正前の「缶体支持部材側」の「側」なる文言による明瞭でない記載の釈明を目的とするものである。
　そして，訂正事項２は，本件特許の明細書，特許請求の範囲又は図面に記載した事項の範囲内のものであり，実質上特許請求の範囲の拡張し，又は変更するものではない。
　さらに，請求項３を引用する請求項５に関する訂正事項２も同様である。
（３）訂正事項３について
　訂正事項３は，訂正前の請求項４の記載が訂正前の請求項１の記載を引用する形式であったものを，独立した形式へ改めるための訂正であって，他の請求項の記載を引用する請求項の記載を当該他の請求項の記載を引用しないものとすることを目的とする訂正である。
　また，訂正事項３は，訂正前の請求項４が引用していた請求項１の「前記複数の回転支持部材の複数を経由するように循環移動を行い，当該複数の缶体支持部材の各々に回転駆動力を伝達する伝達部材」及び「前記伝達部材は，円環状に形成され，径方向における中心を移動中心として循環移動を行い，前記配置中心と前記移動中心とが一致するように，前記複数の缶体支持部材および前記伝達部材が設けられている」なる事項について，「前記複数の缶体支持部材の各々の回転に用いられる回転駆動力を伝達する伝達部材」及び「前記伝達部材は，円環状に形成され，径方向における中心を回転中心として回転を行い，前記配置中心と前記回転中心とが一致するように，前記複数の缶体支持部材および前記伝達部材が設けられ」とし，訂正前の「経由」及び「循環移動」なる文言による明瞭でない記載の釈明を目的とするものである。
　そして，訂正事項３は，本件特許の明細書，特許請求の範囲又は図面に記載した事項の範囲内のものであり，実質上特許請求の範囲の拡張し，又は変更するものではない。
　さらに，請求項４を引用する請求項５に関する訂正事項３も同様である。
３　小括
　以上のとおりであるから，一群の請求項〔１−５〕を訂正する訂正事項１ないし３は，特許法第１２０条の５第２項ただし書第１号，第３号及び第４号に掲げる事項を目的とするものであり，かつ，同条第９項において準用する同法第１２６条第５項及び第６項の規定に適合する。
　したがって，本件訂正請求は適法なものであり，本件特許の特許請求の範囲を，訂正請求書に添付された訂正特許請求の範囲のとおり，訂正後の請求項〔１−５〕について訂正することを認める。
　また，訂正後の請求項５は，請求項１及び請求項４を共に引用するから，訂正後の請求項４について，別の訂正単位とする求めは採用しない。
第３　本件発明
　上記第２のとおりであるから，本件特許の請求項１ないし５に係る発明（以下，順に「本件発明１」のようにいう。）は，令和３年１月８日提出の訂正請求書に添付された訂正特許請求の範囲の請求項１ないし５に記載された事項により特定される次のとおりのものである。
「【請求項１】
　回転可能に設けられ缶体を支持する複数の缶体支持部材であって，回転する回転部材に取り付けられ，当該回転部材の回転に伴い移動する複数の缶体支持部材と，
　インクジェット方式を用い，前記缶体支持部材により支持されている缶体への画像形成を行う複数の画像形成手段と，
　前記複数の缶体支持部材の各々の回転に用いられる回転駆動力を伝達する伝達部材と，
を備え，
　前記複数の缶体支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の缶体支持部材および前記伝達部材が設けられ
　前記回転部材が回転して前記缶体支持部材が一の前記画像形成手段から他の前記画像形成手段へ移動する際，前記伝達部材が，当該回転部材の回転方向とは反対方向へ回転する印刷装置。
【請求項２】
　前記伝達部材は，放射状に配置された前記複数の缶体支持部材よりも前記配置中心側に設置されていることを特徴とする請求項１に記載の印刷装置。
【請求項３】
　前記伝達部材からの駆動力であって前記缶体支持部材へ伝達される駆動力を受ける受け部材が設けられ，
　前記受け部材は，はすば状に形成されていることを特徴とする請求項１又は２に記載の印刷装置。
【請求項４】
　回転可能に設けられ，缶体を支持する複数の缶体支持部材と，
　前記缶体支持部材により支持されている缶体への画像形成を行う画像形成手段と，
　前記複数の缶体支持部材の各々の回転に用いられる回転駆動力を伝達する伝達部材と，
　前記伝達部材からの駆動力であって前記缶体支持部材へ伝達される駆動力を受ける受け部材と，
を備え，
　前記複数の缶体支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の缶体支持部材および前記伝達部材が設けられ，
　前記受け部材の方が，前記伝達部材よりも摩耗しやすい印刷装置。
【請求項５】
　前記画像形成手段は，複数設けられ，
　複数の前記画像形成手段の各々を経由させて前記缶体支持部材を移動させる移動手段を更に備えることを特徴とする請求項１乃至４の何れかに記載の印刷装置。」
第４　特許異議申立書に記載した申立ての理由の概要
　令和２年４月２８日に特許異議申立人が下記３の証拠方法とともに提出した特許異議申立書（以下，「特許異議申立書」という。）に記載した申立ての理由の概要は次のとおりである。
１　申立理由１（進歩性について）
　本件発明１ないし５は，本件特許の出願前に日本国内又は外国において，頒布された又は電気通信回線を通じて公衆に利用可能となった下記の甲第１号証，甲第２号証又は甲第３号証に記載された発明に基いて，その出願日前に当該発明の属する技術の分野における通常の知識を有する者(以下，「当業者」という。)が容易に発明をすることができたものであり，本件特許の請求項１ないし５に係る特許は，特許法第２９条第２項の規定に違反してされたものであるから，同法第１１３条第２号に該当し取り消すべきものである。
２　申立理由２（明確性について）
（１）本件特許の請求項１に記載された「伝達部材」が「前記複数の缶体支持部材の各々を経由するように循環移動を行」う点について，「経由」するとはどのような技術的事項を意味するのかが明確ではなく，請求項１の記載を引用する請求項２ないし５の記載もまた明確ではないから，請求項１ないし５に係る特許は，特許法第３６条第６項第２号に規定される要件を満たしていない特許出願に対してされたものであり，同法第１１３条第４号に該当し取り消すべきものである。
（２）本件特許の請求項３に記載された「前記缶体支持部材側には，前記伝達部材からの駆動力を受ける受け部材が設けられ」る点について，「受け部材」の位置が不明確であるから，請求項３に係る特許は，特許法第３６条第６項第２号に規定される要件を満たしていない特許出願に対してされたものであり，同法第１１３条第４号に該当し取り消すべきものである。
（３）本件特許の請求項４に記載された「受け部材の方が，前記伝達部材よりも摩耗しやすくなっている」点について，摩耗の程度は，各部材の材料や，ギア比などの部材の構造等によって変わるものであり，請求項４において「摩耗しやすくなっている」とはどのような状態であるかが明確ではないから，請求項４に係る特許は，特許法第３６条第６項第２号に規定される要件を満たしていない特許出願に対してされたものであり，同法第１１３条第４号に該当し取り消すべきものである。
３　証拠方法
甲第１号証：特開２０１５−０８３４８０号公報
甲第２号証：米国特許第６３０２９６１号明細書
甲第３号証：米国特許第４５４３８８３号明細書
甲第４号証：欧州特許出願公開第００８２６９３号明細書
甲第５号証：特開平６−７４９４１号公報
甲第６号証：特開２００４−３３２９１４号公報
　なお，証拠の表記は，特許異議申立書の記載に従った。以下，それぞれ「甲１」ないし「甲６」という。
第５　取消理由通知に記載した取消理由の概要
　当審が令和２年１０月３０日付けで特許権者に通知した取消理由の要旨は，次のとおりである。なお，取消理由２（１）及び（２）は，申立理由（１）及び（２）と同旨であり，取消理由３は申立理由１の一部の理由を含むものである。
１　取消理由１（明確性について）
（１）本件特許の本件訂正請求前の請求項１に記載された「経由」なる用語において，請求項１の記載はその意味するところが明確ではなく，請求項１の記載を引用する請求項２ないし５の記載もまた明確ではないから，請求項１ないし５に係る特許は，特許法第３６条第６項第２号に規定される要件を満たしていない特許出願に対してされたものであり，同法第１１３条第４号に該当し取り消すべきものである。
（２）本件特許の本件訂正請求前の請求項３及び４に記載される，「缶体支持部材側」なる記載において，請求項３及び４の記載はその意味するところが明確ではなく，請求項３及び４の記載を引用する請求項５の記載もまた明確ではないから，請求項３ないし５に係る特許は，特許法第３６条第６項第２号に規定される要件を満たしていない特許出願に対してされたものであり，同法第１１３条第４号に該当し取り消すべきものである。
２　取消理由２（新規性について）
　本件特許の本件訂正請求前の請求項１，２及び５に係る発明は，本件特許の出願前に日本国内又は外国において，頒布された又は電気通信回線を通じて公衆に利用可能となった甲３に記載された発明であるから，請求項１，２及び５に係る特許は，特許法第２９条第１項第３号に該当するものについてされたものであり，同法第１１３条第２号に該当し取り消すべきものである。
３　取消理由３（進歩性について）
　本件特許の本件訂正請求前の請求項１ないし３及び５に係る発明は，本件特許の出願前に日本国内又は外国において，頒布された又は電気通信回線を通じて公衆に利用可能となった甲３に記載された発明に基いて，その出願日前に当業者が容易に発明をすることができたものであるから，請求項１ないし３及び５に係る特許は，特許法第２９条第２項の規定に違反してされたものであり，同法第１１３条第２号に該当し取り消すべきものである。
第６　当審の判断
１　取消理由について
（１）取消理由１（１）について
　本件訂正請求による訂正により，請求項１の伝達部材が「複数の缶体支持部材の各々を経由するように循環移動を行」う「経由」なる表現は削除され，訂正後の「前記複数の缶体支持部材の各々の回転に用いられる回転駆動力を伝達する伝達部材」及び「前記伝達部材は，円環状に形成され，径方向における中心を回転中心として回転を行い」なる事項により，伝達部材の動き方は明確に特定されている。
　同様に請求項１の記載を引用する請求項２，３及び５の記載も明確である。
　したがって，取消理由１（１）は理由がない。
（２）取消理由１（２）について
　本件訂正請求による訂正によって請求項３の「缶体支持部材側」なる明確でないとされた用語が削除され，「前記伝達部材からの駆動力であって前記缶体支持部材へ伝達される駆動力を受ける受け部材が設けられ，
　前記受け部材は，はすば状に形成されていることを特徴とする請求項１又は２に記載の印刷装置。」と訂正されることによって，不明瞭であった受け部材に係る構成が明確に特定された。
　同様に請求項３の記載を引用する請求項５の記載も明確である。
　したがって，取消理由１（２）は理由がない。
（３）取消理由２及び３について
ア　甲３に記載された事項
　甲３には，「APPARATUS FOR PRINTING FRUSTOCONICAL ARTICLES」について，おおむね次の事項が記載されている。なお，甲３の日本語出願ファミリーに相当する特開昭５５−４０００号公報を部分的に翻訳として用い，摘記箇所と共に対応する翻訳を記載する（下線は当審で付加した。以下同様。）。
「1. 
Apparatus for applying at least two color images to cylindrical or frustoconical articles
a turret mounted on said main frame for rotation about a main axis extending substantially vertical
a plurality of mandrels for supporting articles to which images are to be applied
said mandrels being mounted to said turret in angularly spaced relationship and each of said mandrels being mounted for rotation on an individual mandrel axis extending radially with respect to said main axis
indexing means operable to turn the turret intermittently so as to index each of said mandrels in succession at a plurality of printing stations angularly spaced around the main axis
円筒形または切頭形の物品に少なくとも２つの色像を形成する装置
タレツトは実質的に垂直に延在する主軸の周りを回転するように前記主枠に取り付けられ
色像が形成される物品を支持する複数個の心棒を有し
前記心棒は角度をなして間隔をおいて前記タレツトに取り付けられると共に，前記主軸にたいし半径方向に延在する各個心棒軸を中心に回転するように取り付けられており
タレツトを間欠的に回動して前記心棒各々を順次，主軸を中心に角度をなして間隔をおいた複数個の印刷ステーションに割出すように作動する割出し手段とを有し
「Turret 40 (FIG. 1) is secured to main shaft 22 near its upper end by so-called ring fedder locking devices 41， 42 so that turret 40 is rotationally fixed to shaft 22. 
Rotationally mounted on turret 40 are sixteen mandrels 45 disposed outboard of turret 40 with equal angular spaces between adjacent mandrels 45.
　More particularly, 
bolt 44 removably secures mandrel 45 to the outboard end of stub shaft 43 which extends radially with respect to main shaft 22 and is disposed in a fixed horizontal plane.
Coupling 49 provides a driving connection between the inboard end of shaft 43 and the outboard end of rotationally supported stub shaft 51 whose inboard end mounts beveled pinion gear 52. All of the beveled pinions 52 are in mesh with beveled ring gear 50 which is fixedly secured to sleeve 55. The latter is concentrically mounted to main shaft 22 and is rotationally supported thereon by bearings 53， 54 so as to be in a fixed vertical position.
１６本の心棒４５がそれら間に等角間隔をおいてタレツト４０の外部に配設されるようにタレツト４０に回転可能に取り付けられる。
　さらに詳しく言えば，
主軸２２にたいし半径方向に延在しかつ一定の水平面に配設される短軸４３の外端部にたいし心棒４５はボルト４４により着脱可能に固定される。
継手４９により，軸４３の内端部と，内端部に小かさ歯車５２を取り付けた回転可能な短軸５１の外端部との間に駆動接続を形成する。これら小かさ歯車５２は，スリーブ５５に固着されているかさ輪歯車５０と咬み合う。このスリーブは主軸２２に同心状に取り付けられると共に，一定の垂直位置になるように，軸受５３，５４によつて主軸に回転可能に支持される。
「
During operation of decorating apparatus 20, turret 40 moves through sixteen angular steps for each revolution of main shaft 22 so that each mandrel 45 moves through sixteen steps for each revolution of shaft 22, stopping for a substantial period of time between steps; however, during the dwell periods for main shaft 22, the mandrels 45 continue to rotate about their respective rotational axes provided by stub shafts 43 in that ring gear 50 is in continuous motion rotating the sixteen pinions 52 about their rotational axes. At the angular position F (FIG. 10), the mandrel 45 stoped thereat will be loaded with a container having an open end and typically constructed of plastic or metal.
装飾装置２０の作動中，タレツト４０は主軸２２の各回転毎に１６の角工程だけ移動するので，各心棒４５は軸２２の各回転毎１６工程だけ移動し，工程間で相当期間停止するが，主軸２２の休止期間中，これら心棒４５は短軸４３の夫々回転軸を中心に回転し続けるように輪歯車５０は連続回転してその回転軸を中心に１６の小歯車５２を回転させる。角位置Ｆ（第１０図）において，そこに停止している心棒４５に，開口端部を有し典型的にはプラスチックまたは金属で形成される容器が載荷される。
「
」（図１）
「
」（図１０）
イ　甲３発明
　甲３の上記記載からみて，甲３には，色像を形成する装置について，次の発明（以下，「甲３発明」という。）が記載されていると認める。
「主軸を中心に回転するタレツトに取り付けられる複数個の心棒と，
　前記心棒により載荷されている金属で形成される容器に色像を形成する複数個の印刷ステーションと，
　前記複数個の心棒の各々を回転駆動する輪歯車と，
　を備え，
　前記複数個の心棒は，主軸を配置中心として放射状に配置され，
　前記輪歯車は，主軸を中心に回転移動を行う，
　色像を形成する装置であり，
　前記輪歯車は，前記心棒よりも前記配置中心側に設置されており，前記心棒には，前記輪歯車によって回転駆動される小歯車が接続され，
　前記印刷ステーションは複数設けられ，心棒はタレツトの回転により複数の印刷ステーションを経由させられる，
　色像を形成する装置。」
ウ　本件発明１ないし３及び５と甲３発明との対比，判断
（ア）本件発明１について
　本件発明１と甲３発明を対比する。
　甲３発明の「色像を形成する装置」は，本件発明１の「印刷装置」に相当する。
　甲３発明の「複数個の心棒」が取り付け，これらを回転させる「タレツト」は，本件発明１の「回転する回転部材」に相当する。
　甲３発明の「金属で形成される容器」は，本件発明１の「缶体」に相当し，これを載荷し，回転するタレツトに取り付けられる甲３発明の「複数個の心棒」は，本件発明１の「回転可能に設けられ缶体を支持する複数の缶体支持部材であって，回転する回転部材に取り付けられ，当該回転部材の回転に伴い移動する複数の缶体支持部材」に相当する。
　甲３発明の「色像を形成する複数の印刷ステーション」は，本件発明１の「複数の画像形成手段」に相当する。
　甲３発明の「複数個の心棒の各々を回転駆動する」，「主軸を中心に回転移動を行う」「輪歯車」は，本件発明１の「複数の缶体支持部材の各々の回転に用いられる回転駆動力を伝達する伝達部材」であって，「円環状に形成され，径方向における中心を回転中心として回転移動を行」うものに相当する。
　甲３発明の「複数個の心棒」が「主軸を中心に放射状に配置され」ている事項は，本件発明１の「複数の缶体支持部材」が「予め定められた配置中心を中心として放射状に配置され」ている事項に相当する。
　甲３発明は「心棒」の配置中心と「輪歯車」の回転の中心を同じ主軸とするから，甲３発明は，本件発明１の「前記配置中心と前記回転中心とが一致するように，前記複数の缶体支持部材および前記伝達部材が設けられ」なる事項を満たす。
　したがって，本件発明１と甲３発明は，以下の点で一致する。
「回転可能に設けられ缶体を支持する複数の缶体支持部材であって，回転する回転部材に取り付けられ，当該回転部材の回転に伴い移動する複数の回転支持部材と，
　前記缶体支持部材により支持されている缶体への画像形成を行う画像形成手段と，
　前記複数の缶体支持部材の各々の回転に用いられる回転駆動力を伝達する伝達部材と，
　を備え，
　前記複数の回転支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の缶体支持部材および前記伝達部材が設けられている印刷装置。」
　そして，本件発明１と甲３発明は，以下の相違点１で相違する。
　相違点１：本件発明１は，画像形成手段に「インクジェット方式」を用いることを特定した上で，回転部材が回転して缶体支持部材が位置の画像形成手段から他の画像形成手段へ移動する際の伝達部材の回転方向を「回転部材の回転方向とは反対方向へ回転する」と特定するのに対し，甲３発明はこのように特定しない点。
　上記相違点１について検討する。
　回転部材が回転して缶体支持部材が位置の画像形成手段から他の画像形成手段へ移動する際の伝達部材の回転方向について，「回転部材の回転方向とは反対方向へ回転する」とすることは甲１ないし６のいずれにも記載された事項ではないし，出願時の技術常識でもない。
　そして，本件特許明細書の【００５０】ないし【００５２】には，インクジェットによって缶体に印刷されたインクは，回転部材の回転方向とは反対方向へ回転する伝達部材が缶体の回転数をより増加させることで，より速やかに乾きやすく，速やかに硬化することが記載されており，このような効果は，甲１及び２並びに甲４ないし６のいずれにも記載されていない。
　よって，甲１及び２並びに甲４ないし６に記載された事項及び出願時の技術常識を参酌しても，甲３発明に相違点１に係る事項を採用することは，当業者といえども容易に想到し得たことではない。
　したがって，本件発明１は，甲３発明，すなわち，甲３に記載された発明ではなく，また該発明に基いて当業者が容易に発明をすることができたものではない。
（イ）本件発明２について
　本件発明２は，請求項１の記載を引用するものであり，本件発明１の特定事項を全て含むものである。
　そして，本件発明１は，甲３発明ではなく，また該発明に基いて当業者が容易に発明をすることができたものではないから，本件発明１の特定事項を全て含む本件発明２もまた，甲３発明，すなわち，甲３に記載された発明ではなく，また該発明に基いて当業者が容易に発明をすることができたものではない。
（ウ）本件発明３について
　本件発明３は，請求項１の記載を直接又は間接的に引用するものであり，本件発明１の特定事項を全て含むものである。
　そして，本件発明１は，甲３発明に基いて当業者が容易に発明をすることができたものではないから，本件発明１の特定事項を全て含む本件発明３もまた，甲３発明，すなわち，甲３に記載された発明に基いて当業者が容易に発明をすることができたものではない。
（エ）本件発明５について
　本件発明５は，請求項１の記載を直接又は間接的に引用し，本件発明１の特定事項を全て含むものである。
　そして，本件発明１は，甲３発明に基いて当業者が容易に発明をすることができたものではないから，本件発明１の特定事項を全て含む本件発明５もまた，甲３発明，すなわち，甲３に記載された発明ではなく，また該発明に基いて当業者が容易に発明をすることができたものではない。
エ　特許異議申立人の主張について
　令和３年２月１９日提出の意見書で特許異議申立人は，上記相違点１に関し，甲１の【００３０】及び【００３３】の記載を引用し，甲３発明に甲１に記載の事項を適用することにより，「輪歯車」を所定の方向に回転させ，「心棒」の回転数を調整することは当業者であれば容易に想到し得た旨を主張する。
　しかしながら，甲１の上記箇所には，缶体受け取り箇所で受け取られた缶体を画像形成手段に相当する第１白色用ヘッドに移動させるまでに支持筒の回転数を上昇させることは記載されているが，缶体支持部材が一の画像形成手段から他の画像形成手段に移動する際に回転数を上昇させることを記載しているものではなく，甲３発明に甲１に記載の事項を適用したとしても，当業者が本件発明１を容易に想到し得たものであるとは解されない。
　よって，特許異議申立人の主張は失当であって採用できない。
（４）小括
　したがって，取消理由通知で通知した取消理由１ないし３については，いずれも理由がない。
２　取消理由通知において採用しなかった特許異議申立理由について
　当審が採用しなかった申立理由は，申立理由１のうち，甲１又は甲２を主引例とする本件発明１ないし５の進歩性及び甲３を主引例とする本件発明４及び本件発明４を引用する本件発明５の進歩性ならびに申立理由２（３）である。
　以下，検討する。
（１）申立理由１について
ア　甲３を主引例とする場合について
（ア）甲３に記載された事項及び甲３発明
　甲３には，上記第５（３）ア及びイのとおりの事項及び甲３発明が記載されている。
（イ）対比，判断
ａ　本件発明４について
　本件発明４と甲３発明を対比する。
　甲３発明の「色像を形成する装置」は，本件発明４の「印刷装置」に相当する。
　甲３発明の「金属で形成される容器」は，本件発明４の「缶体」に相当し，これを載荷し，回転するタレツトに取り付けられる甲３発明の「複数個の心棒」は，本件発明４の「回転可能に設けられ，缶体を支持する複数の缶体支持部材」に相当する。
　甲３発明の「印刷ステーション」は，本件発明４の「画像形成手段」に相当する。
　甲３発明の「複数個の心棒の各々を回転駆動する」，「主軸を中心に回転移動を行う」「輪歯車」は，本件発明４の「複数の缶体支持部材の各々の回転に用いられる回転駆動力を伝達する伝達部材」であって，「円環状に形成され，径方向における中心を回転中心として回転移動を行」うものに相当する。
　甲３発明の心棒に接続され「輪歯車によって回転駆動される小歯車」は，甲４発明の「前記伝達部材からの駆動力であって前記缶体支持部材へ伝達される駆動力を受ける受け部材」に相当する。
　甲３発明の「複数個の心棒」が「主軸を中心に放射状に配置され」ている事項は，本件発明４の「複数の缶体支持部材」が「予め定められた配置中心を中心として放射状に配置され」ている事項に相当する。
　甲３発明は「心棒」の配置中心と「輪歯車」の回転の中心を同じ主軸とするから，甲３発明は，本件発明４の「前記配置中心と前記回転中心とが一致するように，前記複数の缶体支持部材および前記伝達部材が設けられ」なる事項を満たす。
　したがって，本件発明４と甲３発明は，以下の点で一致する。
「回転可能に設けられ，缶体を支持する複数の缶体支持部材と，
　前記缶体支持部材により支持されている缶体への画像形成を行う画像形成手段と，
　前記複数の缶体支持部材の各々の回転に用いられる回転駆動力を伝達する伝達部材と，
　前記伝達部材からの駆動力であって前記缶体支持部材へ伝達される駆動力を受ける受け部材と，
を備え，
　前記複数の缶体支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の缶体支持部材および前記伝達部材が設けられた
　印刷装置。」
　そして，本件発明４と甲３発明は，以下の相違点２で相違する。
　相違点２：「受け部材」について，本件発明４は「伝達部材よりも摩耗しやすい」と特定するのに対し，甲３発明はこのように特定しない点。
　上記相違点２について検討する。
　相違点２に係る事項は，特許異議申立人の提示したいずれの文献にも記載されておらず，出願時の技術常識でもない。
　そして，本件特許明細書の【００５２】には，受け部材を伝達ギアよりも摩耗しやすくすることによって，大型の伝達ギアの着脱を行う必要を生じさせず，メンテナンスを行いやすくする効果が記載されており，この点についても甲１及び２並びに甲４ないし６のいずれにも記載されていない。
　よって，甲１及び２並びに甲４ないし６に記載された事項及び出願時の技術常識を参酌しても，甲３発明に相違点２に係る事項を採用することは，当業者といえども容易に想到し得たことではない。
　したがって，本件発明４は，甲３発明，すなわち，甲３に記載された発明に基いて当業者が容易に発明をすることができたものではない。
ｂ　本件発明５について
　本件発明５のうち，請求項４の記載を引用するものは，本件発明４の特定事項を全て含むものである。
　そして，本件発明４は，甲３発明に基いて当業者が容易に発明をすることができたものではないから，本件発明４の特定事項を全て含む本件発明５もまた，甲３発明，すなわち，甲３に記載された発明に基いて当業者が容易に発明をすることができたものではない。
（ウ）小括
　したがって，申立理由１のうち，甲３を主引例として本件特許の請求項４及び５に係る特許を取り消すべきとする申立理由は理由がない。
イ　甲１を主引例とする場合について
（ア）甲１に記載された事項
　甲１には，「缶体の製造方法，印刷装置，および，飲料用缶」について，おおむね次の事項が記載されている。
「【請求項５】
　
筒状に形成され金属材料により形成され飲料缶に用いられる缶体への印刷を行う印刷装置であって，
　
複数のインク吐出口を有しインクを吐出するか否かの制御を当該インク吐出口毎に行うことが可能なインクジェットヘッドを用い，前記缶体の外周面に対し，当該外周面に現れている金属の地を覆う層を形成する層形成手段と，
　前記層形成手段による層の形成後，
前記缶体の外周面に対し画像を形成する画像形成手段と，を備える印刷装置。
「【００１７】
　
また，印刷装置２００には，円柱状に形成され不図示のモータにより駆動され図中矢印に示す方向に回転する回転部材２１０が設けられている。
　また，印刷装置２００には，回転部材２１０の外周面から突出するように設けられるとともに回転部材２１０の回転方向において互いにずらされた状態で配置され，缶体受け取り箇所１Ｃにて缶体１０を受け取り，そして，この缶体１０を保持する複数の保持機構２３０が設けられている。付言すると，印刷装置２００には，回転部材２１０を中心として放射状に配置され，上流側から搬送されてきた缶体１０を保持する保持機構２３０が複数設けられている。」
「【００２１】
　
また，第２白色用ヘッド２５２の下流側には，イエロー（Ｙ），マゼンタ（Ｍ），シアン（Ｃ），黒（Ｋ）のトナー像を形成する４つのカラー用インクジェットヘッド（以下，「カラー用ヘッド」と称する）２４２Ｙ，２４２Ｍ，２４２Ｃ，２４２Ｋが設けられている。ここで，画像形成手段として機能するこの４つのカラー用ヘッド２４２Ｙ，２４２Ｍ，２４２Ｃ，２４２Ｋは，紫外線硬化型のインクを用いて缶体１０への画像形成を行う。
　なお，本実施形態では，イエロー（Ｙ），マゼンタ（Ｍ），シアン（Ｃ），黒（Ｋ）の順で，インクジェットヘッドが設けられているが，この順は一例であり，他の順でインクジェットヘッドを並べてもよい。」
「【００２５】
　
次に，保持機構２３０について説明すると，保持機構２３０の各々には，回転部材２１０の外周面から突出し且つ略水平に配置され回転部材２１０に固定された固定部材２３１が設けられている。さらに，円筒状に形成され，且つ，缶体１０に挿入され，缶体１０を支持する支持筒（マンドレル）２３２が設けられている。
【００２６】
　
さらに，本実施形態では，固定部材２３１の内部に，モータなどを有し支持筒２３２を周方向に回転させる回転機構（不図示）が設けられている。
【００２７】
　
印刷装置２００の動作を説明する。
　印刷装置２００は，まず，缶体受け取り箇所１Ｃにて，上流側から搬送されてきた缶体１０を受け取る。具体的には，不図示の缶体搬送機構によって，缶体受け取り箇所１Ｃまで缶体１０が搬送されてくるとともに，缶体受け取り箇所１Ｃには，支持筒２３２が待機している。そして，支持筒２３２による缶体１０の吸引が行わる。具体的には，支持筒２３２に形成された貫通孔２３２Ａ内が負圧とされ，缶体１０の吸引が行われる。これにより，缶体１０内に支持筒２３２が入り込み，支持筒２３２による缶体１０の保持が開始される。
【００２８】
　なお，本実施形態における缶体１０は，円筒状に形成されている。また，缶体１０は，金属材料によって形成されている。具体的には，アルミニウムやアルミニウム合金によって形成されている。また，缶体１０は，ドローアンドアイアニング（ＤＩ）成形により形成されており，胴部と底部とが一体となっている。また，缶体１０は，長手方向（軸方向）における一方の端部に底部が形成され，この一方の端部が塞がれた状態となっている。一方で，他方の端部は，塞がれておらず開放された状態となっている。支持筒２３２による缶体１０の支持は，この開放された側から缶体１０の内部に支持筒２３２が入り込むことで行われる。
【００２９】
　支持筒２３２による缶体１０の支持が行われた後，回転部材２１０の回転が行われる。これにより，缶体１０は，図１において，反時計回り方向に向かって移動する。
付言すると，回転部材２１０の回転が行われることで支持筒２３２の移動が行われ，この支持筒２３２の移動に伴い，缶体１０が図中反時計回り方向に向かって移動する。
【００３０】
　
また，本実施形態では，支持筒２３２による缶体１０の支持が行われると，支持筒２３２の周方向への回転が開始され，缶体１０の周方向への回転が開始される（缶体１０の自転）。
【００３３】
　なお，下流側に位置するインクジェットヘッドへ缶体１０を順次移動させていくにあたり，支持筒２３２の回転を一旦停止させてもよいし，支持筒２３２の回転数を低下させるようにしてもよい。また，支持筒２３２を回転させたまま（支持筒２３２の回転数を維持したまま），缶体１０を移動させるようにしてもよい。」
「【図１】
」
（イ）甲１発明
　甲１の上記記載からみて，甲１には，印刷装置について，次の発明（以下，「甲１発明」という。）が記載されていると認める。
「筒状に形成され金属材料により形成され飲料缶に用いられる缶体への印刷を行う印刷装置であって，
　回転部材の回転が行われることで移動する，缶体を支持する複数の支持筒が回転部材に取り付けられており，
　複数のインク吐出口を有しインクを吐出するか否かの制御を当該インク吐出口毎に行うことが可能なインクジェットヘッドを用い，前記缶体の外周面に対し，当該外周面に現れている金属の地を覆う層を形成する層形成手段と，
を備え，
　前記複数の支持筒は，回転部材の中心を中心として放射状に配置され，
　前記層形成手段による層の形成後，前記缶体の外周面に対し画像を形成する画像形成手段として機能する複数のインクジェットヘッドと，
を備える印刷装置。」
（ウ）対比・判断
ａ　本件発明１について
　本件発明１と甲１発明とを対比する。
　甲１発明の「回転部材の回転が行われることで移動する，缶体を支持する複数の支持筒」は，本件発明１の「回転可能に設けられ缶体を支持する複数の缶体支持部材であって，回転する回転部材に取り付けられ，当該回転部材の回転に伴い移動する複数の缶体支持部材」に相当する。
　甲１発明の「前記缶体の外周面に対し画像を形成する画像形成手段として機能する複数のインクジェットヘッド」は，本件発明１の「インクジェット方式を用い，前記缶体支持部材により支持されている缶体への画像形成を行う複数の画像形成手段」に相当する。
　甲１発明の「前記複数の支持筒は，回転部材の中心を中心として放射状に配置され」なる事項は，本件発明１の「前記複数の缶体支持部材は，予め定められた配置中心を中心として放射状に配置された」なる事項に相当する。
　したがって，本件発明１と甲１発明は以下の点で一致する。
「回転可能に設けられ缶体を支持する複数の缶体支持部材であって，回転する回転部材に取り付けられ，当該回転部材の回転に伴い移動する複数の缶体支持部材と，
　インクジェット方式を用い，前記缶体支持部材により支持されている缶体への画像形成を行う複数の画像形成手段と，
を備え，
　前記複数の缶体支持部材は，予め定められた配置中心を中心として放射状に配置された
印刷装置。」
　本件発明１と甲１発明は，以下の相違点３で相違する。
　相違点３：缶体支持部材を回転させるために，本件発明１は「複数の缶体支持部材の各々の回転に用いられる回転駆動力を伝達する伝達部材」を備え，「伝達部材は，円環状に形成され，径方向における中心を回転中心として回転を行い」，「前記配置中心と前記回転中心とが一致するように，前記複数の缶体支持部材および前記伝達部材が設けられ」，「前記回転部材が回転して前記缶体支持部材が一の前記画像形成手段から他の前記画像形成手段へ移動する際，前記伝達部材が，当該回転部材の回転方向とは反対方向へ回転する」ことが全て特定されているのに対し，甲１発明はこのように特定されていない点。
　上記相違点３について検討する。
　甲１には，缶体の印刷装置において，缶体支持部材に相当する支持筒はそれぞれ個別に設けられたモータなどによって回転させられるものであり（【００２６】），本件発明１に係る「伝達部材」は不必要である。そして，缶体の回転を本件発明１の伝達部材によって行う動機付けがなく，相違点３に係る構成を本件発明１において採用することは，当業者といえども容易に想到し得たものではない。
　よって，本件発明１は，甲１発明，すなわち，甲１に記載された発明に基いて当業者が容易に発明をすることができたものではない。
ｂ　本件発明２及び３について
　本件発明２及び３はいずれも，請求項１の記載を直接又は間接的に引用するものであり，本件発明１の特定事項を全て含むものである。
　そして，上記（ア）のとおり，本件発明１は，甲１発明に基いて当業者が容易に発明をすることができたものではないから，本件発明１の特定事項を全て含む本件発明２及び３もまた，甲１発明，すなわち，甲１に記載された発明に基いて当業者が容易に発明をすることができたものではない。
ｃ　本件発明４について
　本件発明４と甲１発明とを対比する。
　甲１発明の「回転部材の回転が行われることで移動する，缶体を支持する複数の支持筒」は，本件発明４の「回転可能に設けられ，缶体を支持する複数の缶体支持部材」に相当する。
　甲１発明の「前記缶体の外周面に対し画像を形成する画像形成手段として機能する複数のインクジェットヘッド」は，本件発明４の「前記缶体支持部材により支持されている缶体への画像形成を行う画像形成手段」に相当する。
　甲１発明の「前記複数の支持筒は，回転部材の中心を中心として放射状に配置され」なる事項は，本件発明４の「前記複数の缶体支持部材は，予め定められた配置中心を中心として放射状に配置された」なる事項に相当する。
　したがって，本件発明４と甲１発明は以下の点で一致する。
「回転可能に設けられ缶体を支持する複数の缶体支持部材と，
　前記缶体支持部材により支持されている缶体への画像形成を行う画像形成手段と，
を備え，
　前記複数の缶体支持部材は，予め定められた配置中心を中心として放射状に配置された，
　印刷装置。」
　本件発明４と甲１発明は，以下の相違点４及び５で相違する。
　相違点４：缶体支持部材を回転させるために，本件発明１は「複数の缶体支持部材の各々の回転に用いられる回転駆動力を伝達する伝達部材」を備え，「伝達部材は，円環状に形成され，径方向における中心を回転中心として回転を行い」，「前記配置中心と前記回転中心とが一致するように，前記複数の缶体支持部材および前記伝達部材が設けられ」，「ることが全て特定されているのに対し，甲１発明はこのように特定されていない点。
　相違点５：「受け部材」について，本件発明４は「伝達部材よりも摩耗しやすい」と特定するのに対し，甲１発明はこのように特定しない点。
　上記相違点について検討する。
　相違点４について
　上記ａで述べたように，少なくとも甲１には，缶体支持部材に相当する支持筒の回転を本件発明４の伝達部材によって行う動機付けがなく，相違点４に係る構成を本件発明４において採用することは，当業者といえども容易に想到し得たものではない。
　相違点５について
　相違点５に係る事項は，特許異議申立人の提示したいずれの文献にも記載されておらず，出願時の技術常識でもない。
　そして，本件特許明細書の【００５２】には，受け部材を伝達ギアよりも摩耗しやすくすることによって，大型の伝達ギアの着脱を行う必要を生じさせず，メンテナンスを行いやすくする効果が記載されており，この点についても甲２ないし６のいずれにも記載されていない。
　よって，甲２ないし６に記載された事項及び出願時の技術常識を参酌しても，甲１発明に相違点５に係る事項を採用することは，当業者といえども容易に想到し得たことではない。
　よって，本件発明４は，甲１発明，すなわち，甲１に記載された発明に基いて当業者が容易に発明をすることができたものではない。
ｄ　本件発明５について
　本件発明５は，請求項１の記載を直接又は間接的に引用する，あるいは請求項４の記載を引用するものであり，本件発明１又は本件発明４の特定事項を全て含むものである。
　そして，上記ａ及びｃのとおり，本件発明１及び本件発明４は，甲１発明に基いて当業者が容易に発明をすることができたものではないから，本件発明１又は本件発明４の特定事項を全て含む本件発明５もまた，甲１発明，すなわち，甲１に記載された発明に基いて当業者が容易に発明をすることができたものではない。
（エ）小括
　したがって，申立理由１のうち，甲１を主引例として本件特許の請求項１ないし５に係る特許を取り消すべきとする申立理由は理由がない。
ウ　甲２を主引例とする場合について
（ア）甲２に記載された事項
　甲２には，「APPARATUS FOR APPLYING A LIQUID COATING TO ELECTRICAL COMPONENTS」について，おおむね次の事項が記載されている。摘記箇所と共に対応する翻訳を記載する
「As further shown in FIG. 1, the table 18 is supported on a frame 22 for rotation in a generally clockwise direction, viewing FIG. 1, wherein each of the support housings 20 may be rotatably indexed to successive positions for heating of the workpieces 14 by adjacent induction heater units 24, respectively.」（図１をさらに参照すると，テーブル１８は，図１を参照して，一般的に時計回り方向に回転するためのフレーム２２に支持されており，ここで，支持ハウジング２０の各々は，隣接する誘導加熱ユニット２４によってワークピース１４を加熱するための連続した位置にそれぞれ回転可能に割り出されていてもよい。）（第３欄第６０ないし６５行）
「Referring further to FIG. 1, each of the workpiece support housings 20 is adapted to support a workpiece gripper assembly 28, respective ones of which are identified, by way of example, in FIG. 1. The gripper assemblies 28 are adapted to releasably grip the alternator stator workpieces 14 and to rotate the workpieces at a predetermined rate as they are moved seriatim to the stations at which they are heated by the heater units 24 and have a liquid coating applied thereto at the applicator assembly 26. The apparatus 12 is arranged to have a station or position 30 indicated by the radial line at which a workpiece 14 may be removed from and mounted on a gripper assembly 28 as the support housings 20 are moved into position in alignment with the station 30. Accordingly, workpieces 14 are rotatably indexed also from the station for applicator assembly 26 through ten indexed positions between the assembly 26 and the station 30 during which the workpieces are rotated at a predetermined rate by the gripper assemblies 28 to allow uniform distribution and curing of the coating which has been applied at the work station.」（図１をさらに参照すると，ワークピースサポートハウジング２０の各々は，ワークピースグリッパアセンブリ２８を支持するように適合されている。グリッパアセンブリ２８は，オルタネータステータワークピース１４を解放可能に把持し，それらがヒータユニット２４によって加熱され，アプリケータアセンブリ２６でそれに適用された液体コーティングを有するステーションへと順次移動されるように，ワークピースを所定の速度で回転させるように適合されている。サポートハウジング２０は，ステーション３０と位置合わせされた位置に移動する場合に，装置１２は，ワークピース１４から取外され，かつ，グリッパアセンブリ２８に取り付けることができる半径方向線によって示されたステーションまたは位置３０から構成されている。従って，ワークピース１４は，ワークピースがグリッパアセンブリ２８によって所定の速度で回転させて，ワークステーションに適用されたコーティングの分布及び硬化が均一となるようにして，アセンブリ２６とステーション３０との間で割出し位置を通ってアプリケータ組立体２６のためのステーションからも回転させられて位置決めされる。）（第４欄第９ないし１７行）
「As shown in FIG. 1, a coating drip tray 33 is preferably provided for the apparatus 12 to catch any liquid coating which may drip off the workpieces 14 as they are indexed from the station for applicator assembly 26 to station 30.」（図１に示すように，装置１２には，アプリケータアセンブリ２６のためのステーションからステーション３０にインデックスされるときにワークピース１４からコーティングをキャッチするためのコーティングドリップトレイ３３が好ましく提供される。）（第４欄第２８ないし３２行）
「Referring primarily to FIG. 2, each of the workpiece support housings 20 for supporting the gripper assemblies 28 is operably connected with an articulated rotatable drive shaft assembly 40, representative ones of which are identified in FIG. 2. Each of the drive shaft assemblies 40 is drivenly connected to a rotatable ring gear 42 supported on the apparatus frame 22 and drivenly connected to a variable speed electric motor 44, see FIG. 3, by way of a suitable drive shaft 46. Drive shaft 46 extends through a suitable passage 25b coaxial with axis 25. The bevel type ring gear 42 is drivingly connected to respective bevel gears 48 connected to each drive shaft assembly 40, as shown also in FIG. 3.」主に図２を参照すると，グリッパアセンブリ２８を支持するためのワークピースサポートハウジング２０の各々は，図２に特定される代表的なものである多関節回転可能な駆動シャフトアセンブリ４０と操作可能に連結されている。駆動軸組立体４０の各々は，装置フレーム２２に支持された回転可能なリングギヤ４２に従動的に連結され，適当な駆動軸４６を介して可変速電動機４４（図３参照）に従動的に連結されている。駆動軸４６は，軸２５と同軸の適当な通路２５ｂを通って延びている。ベベル型リングギヤ４２は，図３にも示すように，各駆動軸組立体４０に連結されたそれぞれのベベルギヤ４８に駆動的に連結されている。）（第４欄第３９ないし５１行）
「
」（図１）
「
」（図２）
（イ）甲２発明
　甲２の上記記載からみて，甲２には，ワークピースを液体コーティングする装置について，次の発明（以下，「甲２発明」という。）が記載されていると認める。
「ワークピースを液体コーティングする装置であって，
　ワークピースを回転させるように把持する複数のグリッパアセンブリであって，回転可能なテーブルに取り付けられたサポートハウジングに取り付けられ，当該テーブルの回転に伴い移動する複数のグリッパアセンブリと，
　グリッパアセンブリに支持されているワークピースを液体コーティングする装置と，
　前記複数のグリッパアセンブリを支持するためのワークサポートハウジングの各々は，グリッパアセンブリを回転するために駆動シャフトアセンブリに連結され，駆動シャフトアセンブリの各々は，回転可能なリングギヤに連結されており，
　複数のグリッパアセンブリは，回転可能なテーブルを中心として放射状に配置され，
　前記リングギヤは，円環状に形成され，径方向における中心を回転中心として回転を行い，
　前記配置中心と前記回転中心とが一致するように，前記複数のグリッパアセンブリおよび前記リングギヤが設けられる，
ワークピースを液体コーティングする装置。」
（ウ）対比・判断
ａ　本件発明１について
　本件発明１と甲２発明とを対比する。
　甲２発明の「ワークピースを回転させるように把持する複数のグリッパアセンブリ」は，本件発明１の「回転可能に設けられ缶体を支持する複数の缶体支持部材」に対し，「回転可能に設けられ」た「支持部材」という限りにおいて相当する。
　甲２発明の「回転可能なテーブル」は，本件発明１の「回転する回転部材」に相当し，甲２発明の「複数のグリッパアセンブリ」は「回転可能なテーブル」に取り付けられた「ワークサポートハウジング」に取り付けられているから，本件発明１の「支持部材の各々の回転に用いられる回転部材の回転に伴い移動する複数の」「支持部材」に相当する。
　甲２発明の「駆動シャフトアセンブリに連結され」，「円環状に形成され，径方向における中心を回転中心として回転を行う」「リングギヤ」は，本件発明１の「円環状に形成され，径方向における中心を回転中心として回転を行う」「支持部材の各々の回転に用いられる回転駆動力を伝達する伝達部材」に相当する。
　甲２発明の「複数のグリッパアセンブリは，回転可能なテーブルを中心として放射状に配置され」は，本件発明１の「複数の」「支持部材は，予め定められた配置中心を中心として放射状に配置され」を満たすといえる。
　甲２発明で「前記配置中心と前記回転中心とが一致するように，前記複数のグリッパアセンブリおよび前記リングギヤが設けられる」事項は，本件発明の本件発明１の「前記複数の」「支持部材は，予め定められた配置中心を中心として放射状に配置された」事項に相当する。
　したがって，本件発明１と甲２発明は以下の点で一致する。
「回転可能に設けられた支持部材であって，回転する回転部材に取り付けられ，当該回転部材の回転に伴い移動する複数の支持部材と，
　前記複数の支持部材の各々の回転に用いられる回転駆動力を伝達する伝達部材と，
を備え，
　前記複数の支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の支持部材および前記伝達部材が設けられた，
　装置。」
　本件発明１と甲２発明は，以下の相違点６及び７で相違する。
　相違点６：本件発明１が「缶体を支持する複数の缶体支持部材」と「インクジェット方式を用い」，「缶体への画像形成を行う複数の画像形成手段」とを備えた印刷装置であるのに対し，甲３発明はワークピースを液体コーティングする装置である点。
　相違点７：伝達部材の動き方について，本件発明１は「前記回転部材が回転して前記缶体支持部材が一の前記画像形成手段から他の前記画像形成手段へ移動する際，前記伝達部材が，当該回転部材の回転方向とは反対方向へ回転する」ことが全て特定されているのに対し，甲２発明はこのように特定されていない点。
　上記相違点６について検討する。
　甲２発明はモーターのステーターやローターなどの「ワークピースに液体コーティングを施す装置」に関するものであって，かつ，単なる被覆形成であって画像形成するものではないから，これを本件発明１の缶体にインクジェット方式で画像形成する印刷装置とすることは当業者にとって容易に想到し得たものではない。
　したがって，本件発明１は，相違点７について検討するまでもなく，甲２発明，すなわち，甲２に記載された発明に基いて当業者が容易に発明をすることができたものではない。
ｂ　本件発明２及び３について
　本件発明２及び３はいずれも，請求項１の記載を直接又は間接的に引用するものであり，本件発明１の特定事項を全て含むものである。
　そして，上記（ア）のとおり，本件発明１は，甲２に記載された発明に基いて当業者が容易に発明をすることができたものではないから，本件発明１の特定事項を全て含む本件発明２及び３もまた，甲２発明，すなわち，甲２に記載された発明に基いて当業者が容易に発明をすることができたものではない。
ｃ　本件発明４について
　本件発明４と甲２発明とを対比する。
　甲２発明の「ワークピースを回転させるように把持する複数のグリッパアセンブリ」は，本件発明４の「回転可能に設けられ缶体を支持する複数の缶体支持部材」に対し，「回転可能に設けられ」た「複数の支持部材」という限りにおいて相当する。
　甲２発明の「駆動シャフトアセンブリに連結され」，「円環状に形成され，径方向における中心を回転中心として回転を行う」「リングギヤ」は，本件発明４の「円環状に形成され，径方向における中心を回転中心として回転を行う」「支持部材の各々の回転に用いられる回転駆動力を伝達する伝達部材」に相当する。
　甲２発明の「複数のグリッパアセンブリは，回転可能なテーブルを中心として放射状に配置され」は，本件発明４の「複数の」「支持部材は，予め定められた配置中心を中心として放射状に配置され」を満たすといえる。
　甲２発明で「前記配置中心と前記回転中心とが一致するように，前記複数のグリッパアセンブリおよび前記リングギヤが設けられる」事項は，本件発明の本件発明４の「前記複数の」「支持部材は，予め定められた配置中心を中心として放射状に配置された」事項に相当する。
　したがって，本件発明４と甲２発明は以下の点で一致する。
「回転可能に設けられた複数の支持部材と，
　前記複数の支持部材の各々の回転に用いられる回転駆動力を伝達する伝達部材と，
を備え，
　前記複数の支持部材は，予め定められた配置中心を中心として放射状に配置され，
　前記伝達部材は，円環状に形成され，径方向における中心を回転中心として回転を行い，
　前記配置中心と前記回転中心とが一致するように，前記複数の支持部材および前記伝達部材が設けられた，
　装置。」
　本件発明４と甲２発明は，以下の相違点８及び９で相違する。
　相違点８：本件発明１が「缶体を支持する複数の缶体支持部材」と「インクジェット方式を用い」，「缶体への画像形成を行う複数の画像形成手段」とを備えた印刷装置であるのに対し，甲２発明はワークピースを液体コーティングする装置である点。
　相違点９：本件発明４は「伝達部材からの駆動力であって前記缶体支持部材へ伝達される駆動力を受ける受け部材」を備え，これを「伝達部材よりも摩耗しやすい」と特定するのに対し，甲２発明はこのように特定しない点。
　上記相違点について検討する。
　相違点８について
　甲２発明は，上記（イ）で検討したとおり「ワークピースに液体コーティングを施す装置」に関するものであって，これを本件発明４の缶体にインクジェット方式で画像形成する印刷装置とすることは当業者にとって容易に想到し得たものではない。
　相違点９について
　相違点９に係る事項は，特許異議申立人の提示したいずれの文献にも記載されておらず，出願時の技術常識でもない。
　そして，本件特許明細書の【００５２】には，受け部材を伝達ギアよりも摩耗しやすくすることによって，大型の伝達ギアの着脱を行う必要を生じさせず，メンテナンスを行いやすくする効果が記載されており，この点についても甲１及び甲３ないし６のいずれにも記載されていない。
　よって，甲１及び甲３ないし６に記載された事項及び出願時の技術常識を参酌しても，甲２発明に相違点９に係る事項を採用することは，当業者といえども容易に想到し得たことではない。
　したがって，本件発明４は，甲２発明，すなわち，甲２に記載された発明に基いて当業者が容易に発明をすることができたものではない。
ｄ　本件発明５について
　本件発明５は，請求項１の記載を直接又は間接的に引用する，あるいは請求項４の記載を引用するものであり，本件発明１又は本件発明４の特定事項を全て含むものである。
　そして，上記（ア）及び（ウ）のとおり，本件発明１及び本件発明４は，甲２発明に基いて当業者が容易に発明をすることができたものではないから，本件発明１又は本件発明４の特定事項を全て含む本件発明５もまた，甲２発明，すなわち，甲２に記載された発明に基いて当業者が容易に発明をすることができたものではない。
（エ）小括
　したがって，申立理由１のうち，甲２を主引例として本件特許の請求項１ないし５に係る特許を取り消すべきとする申立理由は理由がない。
（２）申立理由２（３）（特許法第３６条第６項第２号）について
　特許異議申立人は，本件特許請求項４に記載された「受け部材の方が，前記伝達部材よりも摩耗しやすくなっている」なる事項が明確ではないとしているが，本件発明４の印刷装置において，「受け部材」及び「伝達部材」のどちら側が摩耗しやすくなっているかを検査し判断することは可能であるから，明確である。
　したがって，申立理由２（３）には理由がない。
第７　むすび
　以上のとおりであるから，取消理由通知に記載した取消理由及び特許異議申立書に記載した特許異議申立理由によっては，本件特許の請求項１ないし５に係る特許を取り消すことはできない。
　また，他に本件特許の請求項１ないし５に係る特許を取り消すべき理由を発見しない。
　よって，結論のとおり決定する。
【異議決定日】
令和３年３月２６日（２０２１．３．２６）
【訂正の要旨】
審決（決定）の【理由】欄参照。
（５７）【特許請求の範囲】
　【請求項１】
　回転可能に設けら
れ缶
缶体支持部材であって、回転する回転部材に取り付けられ、当該回転部材の回転に伴い移動する複数の
　
インクジェット方式を用い、
複数の
　
前記
の回転に用いられる
を備え、
　前記複数の缶体支持部材は、予め定められた配置中心を中心として放射状に配置され、
　前記伝達部材は、円環状に形成され、径方向における中心を
回転
回転
　前記配置中心と前記
回転
、
　
前記回転部材が回転して前記缶体支持部材が一の前記画像形成手段から他の前記画像形成手段へ移動する際、前記伝達部材が、当該回転部材の回転方向とは反対方向へ回転する
　【請求項２】
　前記伝達部材は、放射状に配置された前記複数の缶体支持部材よりも前記配置中心側に設置されていることを特徴とする請求項１に記載の印刷装置。
　【請求項３】
　
前
であって前記缶体支持部材へ伝達される駆動力
　前記受け部材は、はすば状に形成されていることを特徴とする請求項１又は２に記載の印刷装置。
　【請求項４】
　回転可能に設けられ、缶体を支持する複数の缶体支持部材と、
　前記缶体支持部材により支持されている缶体への画像形成を行う画像形成手段と、
　
前記
の回転に用いられる
　
前記伝達部材からの駆動力であって前記缶体支持部材へ伝達される駆動力を受ける受け部材と、
を備え、
　前記複数の缶体支持部材は、予め定められた配置中心を中心として放射状に配置され、
　前記伝達部材は、円環状に形成され、径方向における中心を
回転
回転
　前記配置中心と前記
回転
、
　
前記受け部材の方が、前記伝達部材よりも摩耗しやすい
　【請求項５】
　前記画像形成手段は、複数設けられ、
　複数の前記画像形成手段の各々を経由させて前記缶体支持部材を移動させる移動手段を更に備えることを特徴とする請求項１乃至４の何れかに記載の印刷装置。